(57)【要約】目視により、被固定物の固定対象物への固定状態の良否を判定できる確率を向上できるようにすることが課題である。当該課題を解決するために、穴と、穴の近傍に形成された溝とを備える支持部を備える。前記溝は、前記穴の一方の出口がある前記支持部の面において開放され前記穴の他方の出口がある前記支持部の面において開放されていない一方開放部を備え、前記溝における前記穴の重心から最も遠い部分の前記穴の重心からの距離が、前記穴における前記溝に最も近く前記溝と接しない側面部分、の前記重心からの距離、より長い。
2017082241.tif 000002
【特許請求の範囲】
【請求項１】
穴と、前記穴の近傍に形成された溝とを備える支持部を備え、
前記溝は、前記穴の一方の出口がある前記支持部の面において開放され前記穴の他方の出口がある前記支持部の面において開放されていない一方開放部を備え、
前記溝における前記穴の重心から最も遠い部分の前記穴の重心からの距離が、前記穴における前記溝に最も近く前記溝と接しない側面部分、の前記重心からの距離、より長い、
被固定物。
【請求項２】
前記一方の出口がある前記支持部の面及び前記他方の出口がある前記支持部の面のうちのいずれか一において、前記溝が開放されていない、請求項１に記載された被固定物。
【請求項３】
穴と、前記穴の近傍に形成された溝とを備える支持部を備え、前記溝は、前記穴の一方の出口がある前記支持部の面において開放され前記穴の他方の出口がある前記支持部の面において開放されていない一方開放部を備え、前記溝における前記穴の重心から最も遠い部分の前記穴の重心からの距離が、前記穴における前記溝に最も近く前記溝と接しない側面部分、の前記重心からの距離、より長い、被固定物と、
前記穴に挿入された凸部と、前記距離が長い方の面に接する前記凸部の変形部とを備え、前記支持部の、一方開放部において開放されていない、面に接する固定対象物と、
を備える固定物。
【請求項４】
前記一方の出口がある前記支持部の面及び前記他方の出口がある前記支持部の面のうちのいずれか一において、前記溝が開放されていない、請求項３に記載された固定物。
【請求項５】
前記変形部の一部が前記溝内に形成された請求項３又は請求項４に記載された固定物。
【請求項６】
前記一部が前記溝の底面に接触している請求項５に記載された固定物。
【請求項７】
前記変形部が、前記凸部の一部を熱により変形させる工程を含む工程により形成された、請求項３乃至請求項６のうちのいずれか一に記載された固定物。
【請求項８】
穴と、前記穴の近傍に形成された溝とを備える支持部を備え、前記溝は、前記穴の一方の出口がある前記支持部の面において開放され前記穴の他方の出口がある前記支持部の面において開放されていない一方開放部を備え、前記溝における前記穴の重心から最も遠い部分の前記穴の重心からの距離が、前記穴における前記溝に最も近く前記溝と接しない側面部分、の前記重心からの距離、より長い、被固定物、の備える前記穴に、
固定対象物の備える凸部を挿入し、
前記支持部の、一方開放部において開放されていない、面に固定対象物を接触させ、
前記支持部の、一方開放部において開放されている、面に接する前記凸部の変形部を形成する、
固定方法。
【請求項９】
前記一方の出口がある前記支持部の面及び前記他方の出口がある前記支持部の面のうちのいずれか一において、前記溝が開放されていない、請求項８に記載された固定方法。
【請求項１０】
穴と、前記穴の近傍に形成された溝とを備える支持部を備え、前記溝は、前記穴の一方の出口がある前記支持部の面において開放され前記穴の他方の出口がある前記支持部の面において開放されていない一方開放部を備え、前記溝における前記穴の重心から最も遠い部分の前記穴の重心からの距離が、前記穴における前記溝に最も近く前記溝と接しない側面部分、の前記重心からの距離、より長い、被固定物と、
前記穴に挿入された凸部と、前記支持部の、一方開放部において開放されている、面に接する前記凸部の変形部とを備え、前記支持部の、一方開放部において開放されていない、面に接する固定対象物と、
を備える観察対象物において、
観察用の照明により形成される前記変形部の影により、被固定物と固定対象物との固定状況の判定を行う判定方法。
【発明の詳細な説明】
【技術分野】
【０００１】
本発明は、被固定物、被固定物を固定対処物に固定した固定物、被固定物を固定対象物に固定する固定方法、及び被固定物と固定対象物との固定状態を判定する判定方法に関する。
【背景技術】
【０００２】
被固定物を固定対象物に固定する方法として、固定対象物に形成した凸部を、被固定物に形成した穴に挿入し、その後に凸部の先端を変形させる方法が知られている。【０００３】
特許文献１には、ある物に形成され、軸方向にスリットを有するリブを取り付けた穴に、他の物に形成されたボスを挿入し、ボスの先端部分を溶着する溶着構造が開示されている。【０００４】
また、本発明に関係して、特許文献２には、台座が備え、全周にわたって凹凸を設けてある接点取付孔に、リベット型接点の脚部を挿入して、脚部を前記接点取付孔に加締する方法が開示されている。【０００５】
さらに、本発明に関係して、特許文献３には、被取付部品の加締ピンを取付部品の、周縁に切り溝が設けられている加締透孔中に挿入し、前記加締ピンを加締付ける取付構造が開示されている。
【先行技術文献】
【特許文献】
【０００６】
【特許文献１】実開昭６１−１８３６３１号公報
【特許文献２】特開２０００−７６９４７号公報
【特許文献３】特開２０００−３３４４２号公報
【発明の概要】
【発明が解決しようとする課題】
【０００７】
特許文献１に記載されたスリットは、スリットが形成された穴に挿入されたボスのずれを防ぐ働きをする。ここで、特許文献１に開示された方法は、スリットが、スリットの形成された物の底部に到達するように形成されている。スリットが底部に到達するように形成されている場合、ボスの先端部分の溶着後において、溶着したボスの先端部分がスリットに入りこんでいるか否かを目視により確認することが困難である場合が多い。そのような場合に、目視により確認することが困難である場合が多い理由は、［発明を実施するための形態］において詳細に説明する。溶着後に、溶着したボスの先端部分がスリットに入りこんでいない場合は、被固定物と固定対象物との組み合わせは固定不良によるがたつきが生じやすい。すなわち、特許文献１に開示された方法は、被固定物と固定対象物との組み合わせの固定状態の不良により将来発生するかもしれないがたつきの可能性を見過ごすことが多い。【０００８】
本発明は、目視により、被固定物の固定対象物への固定状態の良否を判定できる確率を向上できる、被固定物等の提供を目的とする。
【課題を解決するための手段】
【０００９】
本発明の被固定物は、穴と、穴の近傍に形成された溝とを備える支持部を備える。前記溝は、前記穴の一方の出口がある前記支持部の面において開放され前記穴の他方の出口がある前記支持部の面において開放されていない一方開放部を備える。また、前記溝における前記穴の重心から最も遠い部分の前記穴の重心からの距離は、前記穴における前記溝に最も近く前記溝と接しない側面部分、の前記重心からの距離、より長い。
【発明の効果】
【００１０】
本発明の被固定物等は、目視により、被固定物の固定対象物への固定状態の良否を判定できる確率を向上できる。
【図面の簡単な説明】
【００１１】
【図１】本実施形態の被固定物の例を表す概念図である。
【図２】固定対象物の例を表す概念図である。
【図３】被固定物を固定対象物に固定する方法を表すイメージ図（その１）である。
【図４】被固定物を固定対象物に固定する方法を表すイメージ図（その２）である。
【図５】被固定物を固定対象物に固定する方法を表すイメージ図（その３）である。
【図６】変形部が固化した、被固定物と固定対象物との組み合わせを表すイメージ図である。
【図７】溝と穴との境付近を観察したことを想定した場合の、観察状態を表すイメージ図である。
【図８】溝を備えない被固定物の固定対象物への固定状態を表す概念図である。
【図９】溝の下面からさらに下方に開放されている溝を有する被固定物の、固定対象物への固定状態を表す概念図である。
【図１０】溝内に変形部の一部が形成された場合の、溝と穴との境付近の観察状態を表すイメージ図である。
【図１１】溝の上面から見た形状のバリエーション例を表す概念図である。
【図１２】溝の断面形状のバリエーション例を表す概念図である。
【図１３】溝の下端が支持部の下方に開放されている溝の例を表す概念図である。
【図１４】溝の上面の一部が上方に開放されていない溝の例を表す概念図である。
【図１５】支持部を構成する物とは異なる物を内部溝の上部に備える内部溝を備える溝の例を表す概念図である。
【図１６】備える溝数のバリエーションの例を表すイメージ図である。
【図１７】固定対象物の例を表す斜視図である。
【図１８】被固定物の例を表す斜視図である。
【図１９】固定対象物と被固定物とを組み合わせた状態を表す図である。
【図２０】溶着後のボスを形成した、被固定物と固定対象物との組み合わせを表す図である。
【図２１】横溝と縦溝とが形成されている支持部を備える被固定物を表す斜視図である。
【図２２】溶着後のボスを形成した、横溝と縦溝とが形成されている支持部を備える被固定物と固定対象物との組み合わせ、を表す図である。
【図２３】本発明の被固定物の最小限の構成を表わす断面概念図である。
【発明を実施するための形態】
【００１２】
［構成と動作］
図１は、本実施形態の被固定物の例である被固定物１０１を表す概念図である。図１（ａ）は被固定物１０１の上面図であり、図１（ｂ）は図１（ａ）に表した線１９１ａで被固定物１０１を切断した場合を想定した切断面である。また、図１（ｃ）は、図１（ａ）に表した線１９１ｂで被固定物１０１を切断した場合を想定した切断面である。
【００１３】
被固定物１０１は、支持部１０５ａを備える。
【００１４】
支持部１０５ａには円筒をくりぬいた形状の穴１０２が形成されている。
【００１５】
支持部１０５ａには、また、線１８６で表した、穴１０２と溝１０３との境から、穴１０２から遠ざかる方向に、上面から見た形状が長方形の溝１０３が形成されている。溝１０３は、線１８１で表した、支持部１０５ａの上面の高さ位置においては、支持部１０５ａの上方に向かって開放されている。一方、溝１０３は、線１８２で表した、支持部１０５ａの下面の高さ位置においては、支持部１０５ａの下方に向かっては開放されていない。また、溝１０３は、線１８６で表した穴１０２と溝１０３との境から穴１０２の内部に向かう向きに開放されている。
【００１６】
図１（ａ）に表した点１９５は、被固定物１０１を上面から見た場合を想定した、穴１０２の重心を表す。また、図１（ｂ）及び図１（ｃ）に表した線１８８は、穴１０２のそれぞれの高さ位置における穴１０２の重心を表す。
【００１７】
溝１０３は、穴１０２の一方の出口３５１ａがある支持部１０５ａの面（線１８１）において開放されている。溝１０３は、穴１０２の他方の出口３５１ｂがある支持部１０５ａの面（線１８２）において開放されていない。すなわち、溝１０３は、線１８９で表した底面を有する部分である一方開放部を備える。溝１０３における穴１０２の重心から最も遠い部分（線１８７）の穴１０２の重心からの距離（矢印１０８ｍ）は、穴１０２における溝１０３に最も近く溝１０３と接しない側面部分（点１９５ｂ）、の重心からの距離（矢印１０８ｏ）より長い。
【００１８】
なお、［発明を実施するための形態］において、上及び下は、説明対象の図面に向かった場合の上及び下を意味し、高さは下のある位置から上の他の位置までの距離を意味する。
【００１９】
次に、被固定物１０１を固定する対象である固定対象物の例を説明する。
【００２０】
図２は、被固定物１０１を固定する対象である固定対象物の例である固定対象物１５１を表す概念図である。図２（ａ）は固定対象物１５１の上面図であり、図２（ｂ）は図２（ａ）に表した線１９１ｃで固定対象物１５１を切断した場合を想定した切断面である。また、図２（ｃ）は、図２（ａ）に表した線１９１ｄで固定対象物１５１を切断した場合を想定した切断面である。
【００２１】
固定対象物１５１は、凸部１０４と、支持部１０５ｂとを備える。
【００２２】
凸部１０４は、図２に表したように、支持部１０５ｂ上に固定されている。
【００２３】
凸部１０４は、熱を加えることにより軟化し、さらには溶解する材料を備える。凸部１０４が備える材料は典型的には熱可塑性樹脂である。
【００２４】
次に、被固定物１０１を固定対象物１５１に固定する方法を説明する。
【００２５】
図３乃至図５は、被固定物１０１を固定対象物１５１に固定する方法を表すイメージ図である。図３乃至図５には、図１（ｂ）及び図２（ｂ）相当する断面図を表してある。
【００２６】
まず、図３に表したように、被固定物１０１の備える支持部１０５ａが備える穴１０２に、固定対象物１５１が備える凸部１０４を挿入する。
【００２７】
そして、図３に表したように、支持部１０５ａの下面を支持部１０５ｂの上面に接触させる。
【００２８】
次に、熱１７１を下方向に発するヒータ１６１を、凸部１０４の上方から矢印１４１ａの向きに降下させる。凸部１０４の上部の温度が熱１７１により上昇する。
【００２９】
すると、凸部１０４の上部が軟化する。軟化した部分は自らの重み及び表面張力により変形し、図４に表したように変形部１０６ａが形成される。
【００３０】
ヒータ１６１をさらに矢印１４１ａの方向に降下させると、凸部１０４の上部の軟化部分が大きくなる。軟化した部分の自らの重み及び表面張力による変形はさらに大きくなる。
【００３１】
そして、図５に表したように、変形部１０６ｂが形成される。変形部１０６ｂの図５に向かって右側の部分は、支持部１０５ａの上部に接触している。一方、変形部１０６ｂの図５に向かって左側の部分は、溝１０３に流れ込み、溝１０３の底面（下面）に接触する。また、図５には表されないが、溝１０３の底面に接触した部分は、溝１０３の図示しない側面にも接触している。
【００３２】
図５に表した状態から、ヒータ１６１を上方に変形部１０６ｂから遠ざけると、図６に表したように、変形部１０６ｂは、温度が下がることにより、図５に表した形状を維持して固化する。
【００３３】
図６は、固化した変形部１０６ｂを備える、被固定物１０１と固定対象物１５１との組み合わせを表すイメージ図である。なお、以下において「組み合わせ」は、特記しない限り、被固定物と固定対象物との組み合わせをいうこととする。図６（ａ）は被固定物１０１と固定対象物１５１との組み合わせの上面図であり、図６（ｂ）は被固定物１０１と固定対象物１５１との組み合わせを、図６（ａ）に表した線１９１ｅで切断した場合を想定した断面図である。
【００３４】
変形部１０６ｂのうち、溝１０３の内部に形成された部分である溝内変形部１０７ａは、側部１０９ａ及び１０９ｂに接触している。そのため、被固定物１０１に対して、矢印１４１ｃが表す凸部１０４の周方向の固定対象物１５１に対する相対的な力が加えられた場合には、溝内変形部１０７ａは、溝側面１０９ａか溝側面１０９ｂのいずれかの面を押す。そのため、溝内変形部１０７ａは移動することが困難である。従い、溝内変形部１０７ａの破壊等が生じる場合を除いて、被固定物１０１は、矢印１４１ｃが表す凸部１０４の周方向に、固定対象物１５１に対して相対的に移動しない。ここで、溝内変形部１０７ａの破壊等が生じる場合は、溝内変形部１０７ａが溝内変形部１０７ａ以外の変形部１０６ｂから離れる場合、又は、溝内変形部１０７ａが大きく変形する場合である。
【００３５】
また、変形部１０６ｂのうち、変形部端部１１０ｂは支持部１０５ａに接触しており、溝内変形部１０７ａは溝１０３の底面（下面）に接触している。従い、被固定物１０１に対し、図６（ｂ）に表した矢印１４１ｂの向きの固定対象物１５１に対する相対的力が加えられた場合には、支持部１０５ａは変形部端部１１０ｂを、溝１０３の底面（下面）は溝内変形部１０７ａをそれぞれ押す。そのため、被固定物１０１に矢印１４１ｂの向きの固定対象物１５１に対する相対的力が加えられた場合には、変形部１０６ｂの破壊等が生じる場合を除いて、被固定物１０１は矢印１４１ｂの向きに、固定対象物１５１に対して相対的に移動しない。この変形部１０６ｂの破壊等は、変形部端部１１０ｂ及び溝内変形部１０７ａが、変形部端部１１０ｂ及び溝内変形部１０７ａ以外の変形部１０６ｂから離れる場合、もしくは、変形部端部１１０ｂ及び溝内変形部１０７ａが大きく変形する場合である。
【００３６】
さらに、図６に表した組み合わせは、次に説明するように、溝内変形部１０７ａが予定通りに溝底面に接触するように形成されているかの目視による判別が容易であるという長所がある。
【００３７】
図７（ａ）は、図６（ｂ）に表した矢印１０８ｚの向きに、観察を行うための光を照射し、図６（ａ）及び（ｂ）に表した矢印１０８ｘの向きに、溝１０３と穴１０２との境付近を観察した場合を想定した、観察状態を表すイメージ図である。また、図７（ｂ）は図７（ａ）に表した線１９１ｘで図７（ａ）に表した構造を切断した場合を想定した断面図である。
【００３８】
図７（ａ）に表したように、溝内変形部１０７ａと溝底部１３０との明るさの違いにより、図７（ｂ）に表したように、溝内変形部１０７ａが溝底部１３０に接触するように形成されていることが観察される。溝内変形部１０７ａが溝底部１３０に接触するように形成されている構造は、図６に表した構造と同じ構造である。従い、図６について説明したように、溝内変形部１０７ａの破壊等が生じる場合を除いて、図６に表した被固定物１０１は、矢印１４１ｃが表す凸部１０４の周方向に、固定対象物１５１に対して相対的に移動しない。すなわち、図７（ａ）及び図７（ｂ）に表した構造は、被固定物１０１と固定対象物１５１とのずれの生じにくい構造である。
【００３９】
一方、図７（ｃ）は、変形部が溝底部１３０に接触するように形成されていない構造を観察した場合の、溝１０３と穴１０２との境付近の観察状態を表すイメージ図である。また、図７（ｄ）は図７（ｃ）に表した線１９１ｘで図７（ａ）に表した構造を切断した場合を想定した断面図である。
【００４０】
図７（ｄ）に表したような、変形部１０６ａが溝底部１３０に接触していない場合は、図７（ｃ）及び図７（ｄ）に表したように、影１３２が形成される。影１３２は、矢印１０８ｚの向きに観察用に照射されている光による、変形部１０６ａの影である。影１３２は、図７（ｃ）に表したように、黒っぽく観察される。図７（ｃ）及び図７（ｄ）に表した構造は、変形部が溝底部に接触していないため、被固定物は固定対象物に対してずれやすい構造である。影１３２は、図７（ａ）及び図７（ｂ）に表したように、溝内変形部１０７ａが溝底部１３０に接触している場合には観察されない。従い、影１３２を表す暗い部分の有無を観察することにより、変形部１０６ａが溝底部１３０に接触しているかを判定することができる。
【００４１】
次に、被固定物に図１に表した溝１０３に相当する溝が無かった場合を想定した、被固定物の固定対象物への固定状態について説明する。
【００４２】
図８は、図１に表した溝１０３に相当する溝を備えない被固定物１０１ｘの、図２に表した固定対象物１５１への固定状態を表す概念図である。図８（ａ）は、被固定物１０１ｘと固定対象物１５１との組み合わせの上面図である。図８（ｂ）は、被固定物１０１ｘと固定対象物１５１との組み合わせを、図８（ａ）に表した線１９１ｅで切断した場合を想定した断面図である。図８は、被固定物１０１ｘと固定対象物１５１との組み合わせに対し、図３乃至図５に表したヒータによる加熱処理に相当する処理を行い、さらに変形部を固化させた、図６に表した状態に相当する状態を表した図である。
【００４３】
図８に表した被固定物１０１ｘと固定対象物１５１との組み合わせにおいて、変形部１０６ａの端部である変形部端部１１０ｂは、被固定物１０１ｘの支持部１０５ａに接触している。従い、被固定物１０１ｘに対し、図８（ｂ）に表した矢印１４１ｂの向きの固定対象物１５１に対する相対的力が加えられた場合には、支持部１０５ａは変形部端部１１０ａ及び１１０ｂを矢印１４１ｂに表した方向に押す。そのため、被固定物１０１に矢印１４１ｂの向きの固定対象物１５１に対する相対的力が加えられた場合には、変形部１０６ｂの破壊等が生じる場合を除いて、被固定物１０１は矢印１４１ｂの向きに固定対象物１５１に対して相対的に移動しない。この変形部１０６ｂの破壊等は、変形部端部１１０ａ及び１１０ｂが、変形部端部１１０ａ及び１１０ｂ以外の変形部１０６ｂから離れる場合、もしくは、変形部端部１１０ａ及び１１０ｂが大きく変形する場合である。
【００４４】
一方、被固定物１０１ｘに対して、図８（ａ）に表した矢印１４１ｃが表す凸部１０４の周方向の固定対象物１５１に対する相対的な力が加えられた場合には、被固定物１０１ｘに、変形部１０６ａが面で押すような構成は顕著には存在しない。そのため、矢印１４１ｃが表す、凸部１０４の周方向の固定対象物１５１に対する相対的な力がある程度大きい場合には、被固定物１０１ｘは、矢印１４１ｃが表す凸部１０４の周方向への移動を行う。被固定物１０１ｘの、矢印１４１ｃが表す凸部１０４の周方向への移動は、変形部１０６ｂの破壊を伴わずに生じる場合もあり得る。変形部１０６ｂの破壊を伴わずに生じる移動は、変形部１０６ｂの破壊を伴う移動と比較して、一般に、より小さい力で生じ得る。
【００４５】
一方、図６に表された組み合わせは、前述のように、図８に表した組み合わせと比較して、矢印１４１ｃの方向の固定対象物１５１に対する相対的な力が被固定物に加えられた場合に、被固定物の固定対象物に対する相対的な移動が生じにくい。すなわち、本実施形態の被固定物１０１を用いることにより、固定対象物に対する相対的な移動を生じにくくすることができる。  次に、溝が、図１に表した溝１０３のように支持部の上面と下面の間に位置する溝の底面が存在せず、溝が下方に開放されている構造について説明する。
【００４６】
図９は、溝の下方に開放されている溝を有する被固定物１０１ｘの、図２に表した固定対象物１５１への固定状態を表す概念図である。図８（ａ）は、被固定物１０１ｘと固定対象物１５１との組み合わせの上面図である。図８（ｂ）は、被固定物１０１ｘと固定対象物１５１との組み合わせを、図８（ａ）に表した線１９１ｅで切断した場合を想定した断面図である。図８は、被固定物１０１ｘと固定対象物１５１との組み合わせ被固定物１０１ｘと固定対象物１５１との組み合わせに対し、図３乃至図５に表したヒータによる加熱処理に相当する処理を行い、さらに変形部を冷却した、図６に相当する状態を表した図である。
【００４７】
被固定物１０１ｗが備える支持部１０５ｗが備える溝１０３ｘは、溝１０３ｘの下方に向かって開放されている。
【００４８】
図９に表した構造においては、変形部１０６ｂの一部である溝内変形部１０７ｂは、溝１０３ｘの内部に形成されている。
【００４９】
溝内変形部１０７ｂは溝側面１０９ａ及び１０９ｂに接触している。
【００５０】
従い、図９に表した構造においても、溝内変形部１０７ｂの破壊等が生じる場合を除いて、被固定物１０１は、矢印１４１ｃが表す、凸部１０４の周方向に、固定対象物１５１に対して相対的に移動しない。被固定物が、凸部１０４の周方向に、固定対象物１５１に対して相対的に移動しにくい点は、図６に表した構造と同様である。
【００５１】
しかしながら、溝が下方に開放されている溝を備える被固定物を用いる場合は、以下に説明するように、変形部が溝内に予定通りに形成されているかを目視の観測により判定することが困難という問題がある。以下、溝が支持部下面からさらに下方に開放されている場合に変形部の観察状態を説明する。
【００５２】
図１０（ａ）は、溝が下方に開放されている溝を備える被固定物を用いた組み合わせにおいて、溝内に変形部１０６ｂの一部が形成された場合の、溝１０３と穴１０２との境付近の観察状態を表すイメージ図である。また、図１０（ｂ）は図１０（ａ）に表した線１９１ｙで図１０（ａ）に表した構造を切断した場合を想定した断面図である。なお、図１０（ｂ）に表した太い方の点線から下の部分が溝１０３である。
【００５３】
図１０（ａ）に表したように、溝１０３の内部に凸部側面１１３が観察される。また、影１３２ｂが観察される。影１３２ｂは、図１０（ｂ）に表したように、矢印１０８ｚの向きに照射する観察用の光により凸部側面１１３に生じた変形部１０６ｂの影である。ただし、影１３２ｂと凸部側面１１３の影でない部分との明るさの差は顕著ではない。明るさの差が顕著ではないのは、観察用に照射される光の向きが矢印１０８ｚの向きであり、観察する向きが矢印１０８ｘの向きなためである。すなわち、矢印１０８ｚの向きの光が、凸部側面１１３で反射されて矢印１０８ｘの逆向きに戻ってくる割合が小さいためである。そのため、影でない凸部側面は暗く見え、影でない凸部側面と影１３２ｂとの明るさの差が観察されにくい。
【００５４】
図１０（ｃ）は、溝内に変形部１０６ａの一部が形成されない構造における、溝１０３と穴１０２との境付近の観察状態を表すイメージ図である。また、図１０（ｄ）は図１０（ｃ）に表した線１９１ｙで図１０（ｃ）に表した構造を切断した場合を想定した断面図である。なお、図１０（ｄ）に表した太い方の点線から下の部分が溝１０３である。
【００５５】
図１０（ｃ）に表したように、溝１０３の内部に凸部側面１１３が観察される。また、影１３２ｃが観察される。影１３２ｃは、図１０（ｄ）に表したように、矢印１０８ｚの向きに照射する観察用の光により凸部側面１１３に生じた影である。ただし、影１３２ｃと凸部側面１１３の影でない部分との明るさの差はさほど顕著ではない。これは、観察用に照射される光の向きが矢印１０８ｚの向きであり、観察する向きが矢印１０８ｘの向きなためである。すなわち、矢印１０８ｚの向きの光が、凸部側面１１３で反射されて矢印１０８ｘの逆向きに戻ってくる割合が小さいためである。そのため、凸部側面は全体的に暗く見え、影１３２ｃとの明るさの差が判別されにくい。
【００５６】
図１０（ａ）と図１０（ｃ）とを比較するとわかるように、図１０（ｂ）に表した溝１０３内部に変形部１０６ｂの一部が形成された構成と、図１０（ｄ）に表した溝１０３内部に変形部１０６ａの一部が形成されない構成とは、観察状態が類似している。すなわち、図１０（ｂ）に表した構成と図１０（ｄ）に表した構成のいずれも、影が観察される。図１０（ａ）に表した影１３２ｂと図１０（ｃ）に表した影１３２ｃとは上下方向の幅が異なるが、影が観察される点には変わりがない。そのため、影の有無で、溝１０３内に変形部の一部が予定通りに形成されているかの判別を行うことはできない。さらに、前述のように、影１３２ｂ及び影１３３ｃと影でない凸部側面１１３との明るさの差が小さい。そのため、影の上下方向の幅の違いを判別することも困難である。
【００５７】
図７及び図１０を参照して説明したように、図１に表した被固定物１０１は、変形部を形成した組み合わせにおいて、変形部の一部が溝１０３の内部に予定通り形成されているか否かを観察により判定することがより容易である場合がある。その判定の容易さは、溝が支持部下面より下方に開放されている構成と比較した場合の容易さである。
【００５８】
次に溝の形状のバリエーション例を説明する。
【００５９】
図１１は、上から見た場合（図１（ａ）に相当）を想定した、溝形状のバリエーション例を表す概念図である。図１１（ａ）乃至図１１（ｅ）のそれぞれには、上から見た場合を想定した穴１０２の形状も併せて表してある。
【００６０】
図１１（ａ）は、図１（ａ）と同じ、長方形の溝１０３ａを表す。溝１０３ａの一の短片の部分は、穴１０２につながっている。
【００６１】
図１１（ｂ）は、二等辺三角形の溝１０３ｂを表す。溝１０３ｂの二等辺三角形の底辺の部分は、穴１０２につながっている。
【００６２】
図１１（ｃ）は、台形の溝１０３ｃを表す。溝１０３ｃの台形の上辺の部分は、穴１０２につながっている。
【００６３】
図１１（ｄ）は、楕円形の一部に類似した形状の溝１０３ｄを表す。溝１０３ｄは、図１１（ｄ）に表したように、穴１０２につながっている。
【００６４】
図１１（ｅ）は、楕円形の一部に類似した形状の溝１０３ｅを表す。溝１０３ｅが類似する楕円の一部は、図１１（ｄ）に表した溝１０３ｄが類似している楕円の一部より、短径の長径に対する割外が大きい。溝１０３ｅは、図１１（ｅ）に表したように、穴１０２につながっている。
【００６５】
図１２は、溝の断面形状（図１（ｂ）に相当）のバリエーション例を表す概念図である。図１２（ａ）乃至図１２（ｄ）のそれぞれには、支持部及び穴１０２も併せて表してある。図１２（ａ）乃至図１２（ｄ）のそれぞれに表した、線１８１は支持部の上面を、線１８２は支持部の下面を、線１８６は穴１０２と溝との境をそれぞれ表わす。
【００６６】
図１２（ａ）に表した被固定物１０１は、図１に表した被固定物１０１と同じである。
【００６７】
図１２（ｂ）に表した被固定物１０１ｆは、溝１０３ｆ及び穴１０２の形成された、支持部１０５ｆを備える。
【００６８】
線１８１で表した支持部１０５ｆの上面から溝１０３ｆの底面（下面）までの距離は、線１８６で表した穴１０２と溝１０３ｆとの境から図１２（ｂ）に向かって左方向に遠ざかるにつれ短くなる。
【００６９】
図１２（ｃ）に表した被固定物１０１ｇは、溝１０３ｇ及び穴１０２の形成された、支持部１０５ｇを備える。
【００７０】
線１８１で表した支持部１０５ｇの上面から溝１０３ｇの下端までの距離は、線１８６で表した穴１０２と溝１０３ｇとの境から図１２（ｃ）に向かって左方向に遠ざかるにつれ、長くなりその後短くなる。
【００７１】
図１２（ｄ）に表した被固定物１０１ｈは、溝１０３ｈ及び穴１０２の形成された、支持部１０５ｈを備える。
【００７２】
溝１０３ｈの下端の位置は、線１８６で表した穴１０２と溝１０３ｈとの境においては、線１８２で表した支持部１０５ｈの下面に一致している。そして、線１８１で表した支持部１０５ｈの上面から溝１０３ｈの下端までの距離は、線１８６で表した穴１０２と溝１０３ｈとの境から図１２（ｂ）に向かって左方向に遠ざかるにつれ、直線的に短くなる。
【００７３】
溝の下端は、以下に説明する所定の場合には、下方に開放されていても構わない。
【００７４】
図１３は、溝の下端の一部が下方に開放されている溝の例である溝１０３ｉを備える被固定物１０１ｉを表す概念図である。
【００７５】
溝１０３ｉは、線１８６で表した穴１０２と溝１０３ｉとの境においては下方に向かって開放されている。
【００７６】
線１８６で表した穴１０２と溝１０３ｉとの境から図１３に向かって左向きに遠ざかると、溝１０３ｉは開放されている状態が続く。
【００７７】
線１８６で表した穴１０２と溝１０３ｉとの境から図１３に向かって左方向にさらに遠ざかると、溝１０３ｉの下面と線１８２で表した支持部１０５ｉの下面とが一致する。
【００７８】
線１８６で表した穴１０２と溝１０３ｉとの境から図１３に向かって左方向にさらに遠ざかると、線１８１で表した支持部１０５ｉの上面と、溝１０３ｉの下面との距離は、直線的に減少する。そして、溝１０３ｉの下面は線１８１で表した支持部１０５ｉの上面と一致し、溝１０３ｉではなくなる。
【００７９】
図１３に表した矢印１０８ａで表した距離は、図１３に表した矢印１０８ｂで表した距離よりも長い。ここで、図１３に表した矢印１０８ｂで表した距離は、線１８６で表した穴１０２と溝１０３ｉとの境と、溝１０３ｉの下端と線１８２で表した支持部１０５ｉの下面とが一致する位置との距離である。また、図１３に表した矢印１０８ａで表した距離は、線１８６で表した穴１０２と溝１０３ｉとの境と、溝１０３ｉの下面が線１８１で表した支持部１０５ｉの上面と一致する距離である。
【００８０】
溝の上面の一部は上方に開放されていなくてもよい。
【００８１】
図１４は、溝の一部が上方開放されていない溝の例である、溝１０３ｊを備える被固定物１０１ｊを表す概念図である。図１４図（ａ）は被固定物１０１ｊの上面図であり、図１４（ｂ）は、被固定物１０１ｊを図１４（ａ）に表した線１９１ａで切断した場合を想定した断面図である。
【００８２】
図１４（ｂ）に表した線１８６で表した穴１０２と溝１０３ｊとの境においては、溝１０３ｊは、溝１０３ｊの上方及び下方に支持部１０５ｊが存在する内部溝１１１である。
【００８３】
線１８６で表した穴１０２と溝１０３ｊとの境から図１４に向かって左方向に移動すると、内部溝１１１が続き、その後に、溝１０３ｊの上方が開放される。
【００８４】
線１８６で表した穴１０２と溝１０３ｊとの境から図１４に向かってさらに左方向に移動すると、溝１０３ｊの上方が開放された溝１０３ｊが続き、その後に溝１０３ｊが無くなる。
【００８５】
内部溝の上方に存在する物は支持部を構成する物と異なる物であっても構わない。
【００８６】
図１５は、支持部を構成する物とは異なる物を内部溝の上部に備える内部溝を備える溝の例である溝１０３を備える被固定物１０１ｋを表す概念図である。図１５（ａ）は被固定物１０１ｋの上面図であり、図１５（ｂ）は、被固定物１０１ｋを図１５（ａ）に表した線１９１ａで切断した場合を想定した断面図である。
【００８７】
被固定物１０１ｋは、図１に表した被固定物１０１が備える構成と同じ構成を備え、さらに、部材１１２を備える。部材１１２は、線１８６で表した穴１０２と溝１０３ｋとの境から、図１５に向かって左向きの一定距離範囲に形成されている。部材１１２は、内部溝１１１ｂの上及び内部溝１１１ｂの周囲の支持部１０５ａの上に形成されている。
【００８８】
被固定物に形成される溝の数は任意である。
【００８９】
図１６は、被固定物が備える溝の数及び溝の位置のバリエーションの例を表すイメージ図である。
【００９０】
図１６（ａ）は、図１に表した被固定物１０１のように、被固定物に形成される溝の数が１個の場合の例を表す。図１６（ａ）に表したように、溝１０３ａは穴１０２につながっている。
【００９１】
図１６（ｂ）は、被固定物に形成された溝の数が２個の場合の第一の例を表す。溝１０３ａ及び１０３ｂは、図１６（ｂ）に表したように、穴１０２の周囲の対向する位置につながってている。
【００９２】
図１６（ｃ）は、被固定物に形成された溝の数が２個の場合の第二の例を表す。溝１０３ａ及び１０３ｃは、図１６（ｃ）に表したように、穴１０２につながっている。
【００９３】
図１６（ｄ）は、被固定物に形成された溝の数が２個の場合の第三の例を表す。溝１０３ａ及び１０３ｄは、図１６（ｄ）に表したように、穴１０２につながっている。
【００９４】
図１６（ｅ）は、被固定物に形成された溝の数が４個の場合の例を表す。溝１０３ａ、１０３ｂ、１０３ｃ及び１０３ｄは、図１６（ｅ）に表したように、穴１０２の外周に等間隔につながっている。
【００９５】
溝の形状が同じ場合は、溝の数が多いほど、溝内変形部を形成した場合に、被固定物と固定対象物との間のずれが生じにくい。被固定物と固定対象物との間のずれが生じにくいのは、溝の数が増えることにより、溝内変形部と溝側面との接触箇所の数が増えるためである。すなわち、ずれが生じにくいのは、溝の数が増えた場合には、より多くの溝に形成された溝内変形部の破壊等が生じないと、被固定物と固定対象物との間のずれは起こらないからである。
【００９６】
以下においては、ボタンを備える部材を被固定物、パネルを固定対象物とした場合の、被固定物と固定対象物との固定状態について説明する。
【００９７】
まずは、本実施形態の被固定物ではない、図１、図１１、図１２、図１３及び図１６を参照して説明したような溝を備えない被固定物、を固定対象物と組み合わせた場合を説明する。
【００９８】
図１７は、被固定物と組み合わせる固定対象物の例である固定対象物１５１ｖを表す斜視図である。
【００９９】
固定対象物１５１ｖは、樹脂パネル２００である。
【０１００】
樹脂パネル２００は、溶着ボス２０２を備える。溶着ボス２０２は、図２に表した凸部１０４に相当する部分である。
【０１０１】
樹脂パネル２００には、ボタン穴２０１が形成されている。
【０１０２】
図１８は、本実施形態の被固定物ではない被固定物の例である被固定物１０１ｖを表す斜視図である。
【０１０３】
被固定物１０１ｖは、ボタン３００と、支持部３０６と、ばね３０７と、を備える。支持部３０６には、図１、図１１、図１２、図１３及び図１６を参照して説明したような溝は形成されていない。
【０１０４】
次に、図１７に表した固定対象物１５１ｖと、図１８に表した被固定物１０１ｖとを、図１９に表したように組み合わせる。図１９に表した組み合わせにおいて、パネル２００が備える溶着ボス２０２は、被支持部３０２に形成された溶着ボス挿入穴３０２に挿入されている。また、図１９に表した組み合わせにおいて、ボタン３００はボタン穴２０１に挿入されている。
【０１０５】
そして、図２０に表したように、図１９に表した溶着ボス２０２を加熱により変形させて、溶着後のボス２０３を形成させる。図２０（ａ）は組み合わせの斜視図を表し、図２０（ｂ）は組み合わせの断面図を表す。また、図２０（ｃ）は、図２０（ａ）に表した構成を、パネル２００の反対側から見た場合を想定した斜視図である。
【０１０６】
図２０に表した構成においては、ボタン３００を図２０（ｂ）に表した矢印１０８ｖの向きに押すことにより、ボタン３００を矢印１０８ｖの向きに移動可能であることが想定されている。また、ボタン３００を矢印１０８ｖの向きに押すことをやめることにより、ボタン３００は、ばね３０７により、矢印１０８ｖの逆向きに移動することが想定されている。
【０１０７】
被固定物１０１ｖは、被固定物１０１ｖが備える支持部３０６が、図１、図１１、図１２、図１３及び図１６を参照して説明した溝に相当する溝を備えないため、固定対象物１５１ｖに対する位置ずれが生じる場合がある。被固定物１０１ｖの固定対象物１５１ｖに対する位置ずれが生じる場合には、ボタン３００とボタン穴２０１の側面とが接触する場合がある。そして、ボタン３００とボタン穴２０１の側面とが接触する場合には、ボタン３００がボタン穴２０１の側面に引っかかり、ボタン３００の矢印１０８ｖの表す向きに平行な方向への移動が妨げられる場合がある。ボタン３００の矢印１０８ｖの表す向きに平行な方向への移動が妨げられると、ボタン３００について予定された上述の動作が行われない。
【０１０８】
そこで、図２１に斜視図を表した、図１６（ｃ）に表した溝１０３ａ及び１０３ｃに相当する溝を備える、本実施形態の被固定物１０１ｗを用いることを想定する。図２１に表した被固定物１０１ｗが備える支持部３０６ｗには、横溝３０４と縦溝３０５とが形成されている。
【０１０９】
図２２は、図２１に表した被固定物１０１ｗを、図１７に表した固定対象物１５１ｖに組み合わせ、図１７に表した溶着ボス２０２を加熱により変形させて溶着後のボス２０３を形成した構成を表す図である。図２２（ａ）は組み合わせの斜視図であり、図２２（ｂ）は組み合わせの断面図である。
【０１１０】
図２２（ｂ）に表した四角い点線で囲まれた図は、図２２（ｂ）に表した丸い点線で囲まれた図の拡大図である。
【０１１１】
四角い点線で囲まれた図に表したように、溶着後のボス２０３は支持部３０６に形成された横溝３０４の内部にも入り込んでいる。そのため、図６についての説明と同じ理由により、支持部３０６とパネル２００とのずれが生じにくい。従い、ボタン３００が、図２０を参照して説明した予定通りの移動を行うことが継続して可能である確率が上がる。ここで、予定通りの移動が継続して可能である確率が上がるようにするためには、予定通りの移動が行えるように、ボタン穴２０１とボタン３００との位置関係を調整して組み合わせる。その後に、ボタン穴２０１とボタン３００との位置関係を保ったまま、被固定物１０１ｗを固定対象物１５１ｖの固定を行う。
［効果］
本実施形態の被固定物は、固定対象物の凸部を挿入するために被固定物に形成された穴につながった溝を備える。そのため、被固定物の穴に固定対象物の凸部を挿入させ、組み合わせた後に、凸部を加熱等により変形させた場合に、変形した凸部（変形部）の一部が溝内に入り込む。そのため、被固定物と固定対象物との組み合わせは、図６を参照して説明した理由により、溝内に入り込んだ変形部の存在により、被固定物と固定対象物との相対的なずれが生じにくい。
【０１１２】
本実施形態の被固定物は、さらに、溝と穴との境からの距離は、上面に開放された部分の方が下面に開放された部分よりも長い。そのため、本実施形態の被固定物が備える溝には底面が存在する。従い、本実施形態の被固定物が備える溝の底面に、溝内に形成される変形部が接触する可能性がある。溝の底面に変形部が接触することがある場合には、図７を参照して説明したように、溝の底面に変形部が接触しているか否かの判別が、目視による観察により容易である。すなわち、本実施形態の被固定物は、固定対象物と組み合わせた場合において、被固定物と固定対象物との固定が強固であるか否かの観察による判別が容易である確率が高い。
【０１１３】
すなわち、本実施形態の被固定物は、目視により、被固定物の固定対象物への固定状態の良否を判定できる確率を向上できる。
【０１１４】
なお、本実施形態の被固定物には、被固定物に形成された溝と穴とが一体化しており、溝と穴との分離が困難な場合も含まれる。溝と穴との分離が困難な場合には、底面のある部分が溝であり、底面のない部分が穴であると解釈することとする。
【０１１５】
なお、以上説明した実施形態においては、溝が穴につながっている場合について説明した。しかしながら、溝は穴の近傍にあればよく、必ずしも穴につながっている必要はない。溝が穴の近傍にあれば、変形部の一部が溝に入り込み溝底部に接触する場合があり得るためである。
【０１１６】
また、以上説明した実施形態においては、被固定物が備える穴として、円筒形をくりぬいた形状の穴についての例を説明したが、穴の形状は、固定対象物の備える凸部が挿入できる限りにおいて、任意である。
【０１１７】
また、以上説明した実施形態においては、変形部は凸部を加熱して形成する場合を例に説明したが、変形部が変形により被固定部の備える溝底部に接触するように形成される可能性がある限りにおいて、変形部の形成方法は任意である。
【０１１８】
なお、図２３は、本発明の被固定物の最小限の構成である被固定物１０１ｚを表わす断面概念図である。
【０１１９】
被固定物１０１ｚは、穴１０２ｚと、穴１０２ｚの近傍に形成された溝１０３ｚとを備える支持部１０５ｚを備える。
【０１２０】
線１８８ｚは、穴１０２ｚのそれぞれの高さ位置における穴１０２の重心（以下において単に「重心」という。）を表す。
【０１２１】
溝１０３ｚは、穴１０２ｚの一方の出口４０５がある支持部１０５ｚの面４０７において開放され穴１０２ｚの他方の出口４０６がある支持部１０５ｚの面において開放されていない一方開放部を備える。
【０１２２】
また、穴１０２ｚの重心から最も遠い溝１０３ｚの部分４０４から重心まで距離が長い方の支持部１０５ｚの面４０７において、以下が成立する。すなわち、重心から最も遠い溝１０２ｚの部分４０４から重心までの距離４０１は、溝１０３ｚの最も近くに位置する、穴１０２ｚの、溝１０３ｚと接しない図示しない側面部分、から重心までの距離より長い。
【０１２３】
なお、支持部１０５ｚの形状、穴１０２ｚの形状、溝１０３ｚの形状は、上記条件を満たす限りにおいて任意である。
【０１２４】
また、図２３には、溝１０３ｚが穴の側面４０３において穴１０２ｚにつながっている場合を表したが、溝溝１０３ｚが穴の側面４０３において穴１０２ｚは穴１０２ｚにつながっていなくても構わない。
【０１２５】
被固定物１０１ｚは、上記構成により、［発明の効果］の項に記載した効果を奏す。
【０１２６】
また、上記の実施形態の一部又は全部は、以下の付記のようにも記述され得るが、以下には限られない。
【０１２７】
（付記Ａ１）
穴と、前記穴の近傍に形成された溝と、を備える支持部を備え、
前記溝は、前記穴の一方の出口がある前記支持部の面において開放され前記穴の他方の出口がある前記支持部の面において開放されていない一方開放部を備え、
前記溝における前記穴の重心から最も遠い部分の前記重心からの距離が、前記穴における前記溝に最も近く前記溝と接しない側面部分、の前記重心からの距離、より長い、
被固定物。
【０１２８】
（付記Ａ１．１）
前記溝と前記穴とがつながっている付記１に記載された被固定物。
【０１２９】
（付記Ａ１．２）
前記溝と前記穴とが一体化して形成されている付記Ａ１．１に記載された被固定物。
【０１３０】
（付記Ａ１．３）
前記溝と前記穴とがつながっていない付記１に記載された被固定物。
【０１３１】
（付記Ａ２）
前記一方の出口がある前記支持部の面及び前記他方の出口がある前記支持部の面のうちのいずれか一において、前記溝が開放されていない、付記Ａ１乃至付記１．３のうちのいずれか一に記載された被固定物。
【０１３２】
（付記Ａ３）
前記穴に、前記被固定物を固定する対象である固定対象物が備える凸部を、前記支持部の、一方開放部において開放されていない、面が固定対象物に接するように挿入し、その後に、前記凸部の少なくとも一部を変形させた変形部を前記支持部の、一方開放部において開放されている、面に接触するように形成することにより、前記被固定物を前記固定対象物に固定することが想定された、付記Ａ１乃至付記Ａ２のうちのいずれか一に記載された被固定物。
【０１３３】
（付記Ａ４）
前記変形部の一部が前記溝内に形成されることが想定された付記Ａ１乃至付記Ａ３のうちのいずれか一に記載された被固定物。
【０１３４】
（付記Ａ５）
前記一部が前記溝の底面に接触することが想定された付記Ａ４に記載された被固定物。
【０１３５】
（付記Ａ６）
前記変形部が、前記凸部の一部を熱により変形させる工程を含む工程により形成されることが想定された、付記Ａ２乃至付記Ａ５のうちのいずれか一に記載された被固定物。
【０１３６】
（付記Ｂ１）
穴と、前記穴の近傍に形成された溝とを備える支持部を備え、前記溝は、前記穴の一方の出口がある前記支持部の面において開放され前記穴の他方の出口がある前記支持部の面において開放されていない一方開放部を備え、前記溝における前記重心から最も遠い部分の前記穴の重心からの距離が、前記穴における前記溝に最も近く前記溝と接しない側面部分、の前記距離、より長い、被固定物と、
前記穴に挿入された凸部と、前記支持部における一方開放部において開放されている面に接する前記凸部の変形部とを備え、前記支持部における一方開放部において開放されていない面に接する固定対象物と、
を備える固定物。
【０１３７】
（付記Ｂ２）
前記一方の出口がある前記支持部の面及び前記他方の出口がある前記支持部の面のうちのいずれか一において、前記溝が開放されていない、付記Ｂ１に記載された固定物。
【０１３８】
（付記Ｂ３）
前記変形部の一部が前記溝内に形成された付記Ｂ１又は付記Ｂ２に記載された固定物。
【０１３９】
（付記Ｂ４）
前記一部が前記溝の底面に接触している付記Ｂ３に記載された固定物。
【０１４０】
（付記Ｂ５）
前記変形部が、前記凸部の一部を熱により変形させる工程を含む工程により形成された、付記Ｂ１乃至付記Ｂ４のうちのいずれか一に記載された固定物。
【０１４１】
（付記Ｃ１）
穴と、前記穴の近傍に形成された溝とを備える支持部を備え、前記溝は、前記穴の一方の出口がある前記支持部の面において開放され前記穴の他方の出口がある前記支持部の面において開放されていない一方開放部を備え、前記溝における前記穴の重心から最も遠い部分の前記穴の重心からの距離が、前記穴における前記溝に最も近く前記溝と接しない側面部分、の前記距離、より長い、被固定物、の備える前記穴に、
固定対象物の備える凸部を挿入するステップと、
前記支持部の、一方開放部において開放されていない、面に固定対象物が接触させるステップと、
前記支持部の、一方開放部において開放されている、面に接する前記凸部の変形部を形成するステップと、
を含む固定方法。
【０１４２】
（付記Ｃ２）
前記一方の出口がある前記支持部の面及び前記他方の出口がある前記支持部の面のうちのいずれか一において、前記溝が開放されていない、付記Ｃ１に記載された固定方法。
【０１４３】
（付記Ｃ３）
前記変形部を形成するステップが、前記変形部の一部を前記溝内に形成するステップを含む、付記Ｃ１又は付記Ｃ２に記載された固定方法。
【０１４４】
（付記Ｃ４）
前記溝内に形成するステップが、前記一部を溝の底面に接触させるステップを含む、付記Ｃ３に記載された固定方法。
【０１４５】
（付記Ｃ５）
前記変形部を形成するステップが、前記凸部の端部を熱により変形させるステップを含む、付記Ｃ１乃至Ｃ４のうちのいずれか一に記載された固定方法。
【０１４６】
（付記Ｄ１）
穴と、前記穴の近傍に形成された溝とを備える支持部を備え、前記溝は、前記穴の一方の出口がある前記支持部の面において開放され前記穴の他方の出口がある前記支持部の面において開放されていない一方開放部を備え、前記溝における前記穴の重心から最も遠い部分の前記穴の重心からの距離が、前記穴における前記溝に最も近く前記溝と接しない側面部分、の前記重心からの距離、より長い、被固定物と、
前記穴に挿入された凸部と、前記支持部の、一方開放部において開放されている、面に接する前記凸部の変形部とを備え、前記支持部の、一方開放部において開放されていない、面に接する固定対象物と、
を備える観察対象物において、
観察用の照明により形成される前記変形部の影により、被固定物と固定対象物との固定状況の判定を行う判定方法。
【０１４７】
（付記Ｄ２）
前記影の有無により前記判定を行う、付記Ｄ１に記載された判定方法。
【０１４８】
以上、上述した実施形態を模範的な例として本発明を説明した。しかしながら、本発明は、上述した実施形態には限定されない。即ち、本発明は、本発明のスコープ内において、当業者が理解し得る様々な態様を適用することができる。
【０１４９】
この出願は、２０１５年１１月１３日に出願された日本出願特願２０１５−２２２７９２を基礎とする優先権を主張し、その開示の全てをここに取り込む。
【符号の説明】
【０１５０】
１０１、１０１ｆ、１０１ｇ、１０１ｈ、１０１ｉ、１０１ｊ、１０１ｋ、１０１ｖ、１０１ｚ    被固定物
１０２、１０２ｚ    穴
１０３、１０３ａ、１０３ｂ、１０３ｃ、１０３ｄ、１０３ｅ、１０３ｆ、１０３ｇ、１０３ｈ、１０３ｉ、１０３ｊ、１０３ｚ    溝
１０４    凸部
１０５ａ、１０５ｂ、１０５ｆ、１０５ｇ、１０５ｈ、１０５ｉ、１０５ｗ、１０５ｚ、３０６、３０６ｗ    支持部
１０６ａ、１０６ｂ    変形部
１０７ａ、１０７ｂ    溝内変形部
１０８ａ、１０８ｂ、１０８ｍ、１０８ｏ、１０８ｖ、１０８ｘ、１４１ａ、１４１ｂ    矢印
１０９ａ、１０９ｂ    溝側面
１１０ａ、１１０ｂ    変形部端部
１１１、１１１ｂ    内部溝
１１２    部材
１１３    凸部側面
１３０    溝底部
１３１    凸部側面
１３２、１３２ｂ    影
１５１、１５１ｖ    固定対象物
１６１    ヒータ
１７１    熱
１８１、１８２、１８４、１８６、１８７、１８８、１８８ｚ、１８９、１９１ａ、１９１ｂ、１９１ｃ、１９１ｄ、１９１ｅ、１９１ｘ、１９１ｙ    線
１９５、１９５ｂ    点
２００    樹脂パネル
２０１    ボタン穴
２０２    溶着ボス
２０３    溶着後のボス
３００    ボタン
３０２    溶着ボス挿入穴
３０４    横溝
３０５    縦溝
３０７    ばね
３５１ａ、３５１ｂ、４０５、４０６    出口
４０１、４０２    距離
４０３    側面
４０４    部分
４０７、４０８    面
【図１】
2017082241.tif 000003
【図２】
2017082241.tif 000004
【図３】
2017082241.tif 000005
【図４】
2017082241.tif 000006
【図５】
2017082241.tif 000007
【図６】
2017082241.tif 000008
【図７】
2017082241.tif 000009
【図８】
2017082241.tif 000010
【図９】
2017082241.tif 000011
【図１０】
2017082241.tif 000012
【図１１】
2017082241.tif 000013
【図１２】
2017082241.tif 000014
【図１３】
2017082241.tif 000015
【図１４】
2017082241.tif 000016
【図１５】
2017082241.tif 000017
【図１６】
2017082241.tif 000018
【図１７】
2017082241.tif 000019
【図１８】
2017082241.tif 000020
【図１９】
2017082241.tif 000021
【図２０】
2017082241.tif 000022
【図２１】
2017082241.tif 000023
【図２２】
2017082241.tif 000024
【図２３】
2017082241.tif 000025
【国際調査報告】
2017082241.tif 000026
2017082241.tif 000027